(57)【特許請求の範囲】
【請求項１】
歩行者に移動すべき方向や注意すべき位置の情報を提供すべく床面にライン状に連結して設置される案内誘導床マットであって、
床面に設置された際の上方へ突出する凸条を２本のみ備え、
前記２本の凸条は、当該案内誘導床マットを連結する連結方向に延びるとともに、当該案内誘導床マットの幅方向の両端に設けられ、
前記凸条を含めた幅方向の断面における上縁が、両端を除いた全幅にわたり、折点のない線からなり、
前記凸条における前記上縁は、両裾部が下方へ湾入する湾曲線からなり、
前記湾曲線のうち当該案内誘導床マットの外側の湾曲線は、当該案内誘導床マットの幅方向の端縁に達しており、
前記２本の凸条間にわたる平面からなる平坦部が設けられ、前記連結方向に沿って前記平坦部を歩行可能なことを特徴とする案内誘導床マット。
【請求項２】
前記凸条の両裾部の湾曲線は、当該案内誘導床マットの幅方向における外側の湾曲線における最小曲率半径が、当該幅方向における内側の湾曲線における最小曲率半径より大きい請求項１に記載の案内誘導床マット。
【請求項３】
前記凸条は、隣接する案内誘導床マットの凸条と連結可能に構成されている請求項１に記載の案内誘導床マット。
【請求項４】
前記凸条は、下面側に当該凸条に沿って延びる凹条、又は貫通孔を有する請求項３に記載の案内誘導床マット。
【請求項５】
複数の請求項４に記載の案内誘導床マットが床面に線状に並べて設置されており、
当該複数の案内誘導床マットの少なくとも１つの凸条が透明、又は半透明素材からなり、前記凹条、又は貫通孔内にＬＥＤ等の光源あるいは電線が設けられており、
前記の光源は、隣接する案内誘導床マットの前記凹条、又は貫通孔内に通された電線から電力を供給される案内誘導ライン。
【発明の詳細な説明】
【技術分野】
【０００１】
本発明は、病院、旅客施設、劇場等の建築物において利用者を目的地へ誘導すべく床面に敷設される案内誘導床マットに関し、特に、車いすや歩行器等、ベビーカー、トランク、医療機器等の車輪を有する横断体が横断する際の振動を緩和する構成を備えた案内誘導床マットに関する。
【背景技術】
【０００２】
従来、建築物では、人を目的の場所へ案内する誘導方法として、職員や案内地図による誘導が行われている。
【０００３】
ところが、このような案内は、職員の説明や、案内の内容を理解したのち歩き始めると、目的地まで記憶を頼りに歩くことになるため、道に迷うことも多い。また、職員が付き添い誘導する場合、人的コストを必要とする。
そこで、目的地までの床面にテープや塗装によりライン状に表示し、このラインを辿ることにより目的地へ到着するようにした誘導方法が広く用いられている。
【０００４】
例えば、特許文献１には、視覚障害者誘導用表示（点字ブロック）の一端に視覚正常者を案内する矢印を表示したものが提案されている。特許文献１の特許文献１では、矢印を凸状に設けることで、視覚障害者も矢印を認識できるように構成している。
【０００５】
また、特許文献２には、誘導マットに沿って設置した固定誘導装置から、歩行者が携帯する誘導装置を介して位置情報を通知することで歩行者を誘導する歩行誘導システムが提案されている。
【先行技術文献】
【特許文献】
【０００６】
【特許文献１】特開２０１２−００７３４０
【特許文献２】特開２００４−２４６８３１
【発明の概要】
【発明が解決しようとする課題】
【０００７】
しかし、特許文献１の視覚障害者誘導用表示では、車いすや歩行器等の横断体の通行時に横断体に与える振動が大きいという問題がある。
また、特許文献２の歩行誘導システムは、設置や取り外しが難しく、建築物内でのレイアウト変更や、一時的に行われるイベント等の案内が難しいという問題がある。
本発明は上記課題を解決するためになされたものであり、車いす等の横断体が横断する際の振動を緩和する構成を備え、建築物内のレイアウト変更や一時的な誘導に対応して、設置および取り外しが可能な誘導用床マットの提供を目的とする。
【課題を解決するための手段】
【０００８】
上記課題を解決するためになされた発明は、歩行者に移動すべき方向や注意すべき位置の情報を提供すべく床面にライン状に連結して設置される案内誘導床マットであって、  床面に設置された際の上方へ突出する凸条を２本のみ備え、前記２本の凸条は、当該案内誘導床マットを連結する連結方向に延びるとともに、当該案内誘導床マットの幅方向の両端に設けられ、前記凸条を含めた幅方向の断面における上縁が、両端を除いた全幅にわたり、折点のない線からなり、前記凸条における前記上縁は、両裾部が下方へ湾入する湾曲線からなり、前記湾曲線のうち当該案内誘導床マットの外側の湾曲線は、当該案内誘導床マットの幅方向の端縁に達しており、前記２本の凸条間にわたる平面からなる平坦部が設けられ、前記連結方向に沿って前記平坦部を歩行可能なことを特徴とする。
【０００９】
このように、本発明の案内誘導床マットは、凸条を含めた幅方向の断面における上縁を、両端を除いた全幅にわたり、折点のない線により構成し、この凸条の上縁の両裾部を下方へ湾入する湾曲線により構成したので、車いす等の横断体が横断する際の振動を効果的に緩和することができる。
【００１０】
前記凸条の両裾部の湾曲線は、当該案内誘導床マットの幅方向における外側の湾曲線における最小曲率半径が、当該幅方向における内側の湾曲線における最小曲率半径より大きいことが好ましい。
【００１１】
前記凸条は、隣接する案内誘導マットの凸条と連結可能に構成されていることが好ましい。このように、隣接する案内誘導マットの凸条どうしを連結することで、凸条が横断体の通過時等に変形したり揺動したりすることを抑制できる。
【００１２】
前記凸条は、下面側に当該凸条に沿って延びる凹条、又は貫通孔を有することが好ましい。
このように凸条の下面側に凹条や貫通孔を設け、隣接する案内誘導床マットと、凸条とともに下面側の凹条や貫通孔を連結することで、凹条内に電気配線や通信回線等を通すことができる。
【００１４】
また、本発明は、複数の上記案内誘導床マットが床面に線状に並べて設置されており、当該複数の案内誘導床マットの少なくとも１つの凸条が透明、又は半透明素材からなり、前記凹条、又は貫通孔内にＬＥＤ等の光源あるいは電線が設けられており、前記の光源は、隣接する案内誘導床マットの前記凹条、又は貫通孔内に通された電線から電力を供給される案内誘導ラインを含む。
【発明の効果】
【００１５】
以上説明したように、本発明の案内誘導床マットによれば、横断体が横断する際の振動を効果的に緩和でき、床面対し容易に取り付け取り外しができるので、建築物内のレイアウト変更に容易に対応できる。
【図面の簡単な説明】
【００１６】
【図１】本発明の第１実施形態に係る案内誘導ラインを病院内に敷設した様子を示す概要図である。
【図２】第１実施形態の案内誘導ラインの要部を示した拡大斜視図である。
【図３】図２におけるＸ―Ｘ線断面図である。
【図４】隣接する案内誘導床マットの連結部を示す斜視図である。
【図５】第１実施形態に係る案内誘導床マットを一部切断して示した斜視図である。
【図６】本発明の第２実施形態に係る案内誘導ラインの斜視図である。
【図７】本発明の参考形態に係る案内誘導ラインの斜視図である。
【図８】図７におけるＹ―Ｙ線断面図である。
【図９】本発明の参考形態に係る案内誘導床マットの変形例の横断面図である。
【図１０】本発明の参考形態に係る案内誘導床マットの変形例の横断面図である。
【図１１】本発明の参考形態に係る案内誘導床マットの変形例の横断面図である。
【発明を実施するための形態】
【００１７】
以下、適宜図面を用いながら本発明の実施形態について詳述する。ただし、本発明は、以下の実施形態に限られるものではない。
（第１実施形態）
図１は、本発明の第１実施形態に係る案内誘導ライン１００を示している。案内誘導ライン１００は、病院等の建築物の床面に設置され、建築物の利用者に移動すべき方向や注意すべき位置の情報を提供する。
案内誘導ライン１００は、床面に適宜に組み合わされてライン状に並べられる２種の案内誘導床マット１０，２０を備えている。
尚、以下の説明において、複数の案内誘導床マットを床面上にライン状に連結する方向を「連結方向」といい、平面視で「連結方向」に垂直な方向を「幅方向」という。
【００１８】
案内誘導床マット１０は、図２に示すように、案内誘導ライン１００の端部に配置されるもので、平面視矩形をなす板状部材からなり、上面から突出する一対の凸部１１、１１と、その間の平坦部１３とを備えている。案内誘導床マット１０は、一対の凸部１１，１１を透明、又は半透明樹脂等の透明素材とし、平坦部１３を不透明樹脂等の不透明素材として、二色成型により形成されている。
【００１９】
一対の凸部１１，１１は、連結方向に延びる凸条からなる（以下、「凸条１１」ともいう）。凸条１１は、当該案内誘導床マット１０の幅方向の両端に設けられている。凸条１１は、図２に示すように、凸条１１の長手方向の一端側（図２の左下側）に向かって徐々に低くなり上方へ湾出する端部湾曲面１１ａを有している。
【００２０】
凸条１１の他端側（図２の右上側）の端部１１ｂは、隣接する案内誘導床マット２０の凸条２１と連続するように、端縁まで一定の高さに形成され、下面側に、隣接する案内誘導床マット２０の係合突片３と係合する係合凹部４を備えている。
【００２１】
凸条１１は、図３に示すように、幅方向の断面が略半円筒状をなし、下面側に凹条１１ｅを有している。また、凸条１１の幅方向における断面の上縁は、頂部が上方へ湾出する湾曲線に、両裾部１１ｃ，１１ｄが下方へ湾入する湾曲線に形成されている。凸条１１の幅方向の外側の湾曲面１１ｃにおける最小曲率半径（以下、単に「曲率半径」）ｒ１は、床面Ａと折線なく連続するために、床面Ａに埋め込むタイプでは図３（ａ）に示すように、平坦部１３と連続する同幅方向の内側の裾部１１ｄの曲率半径ｒ２と同等に設けられ、床面Ａに載置するタイプでは、図３（ｂ）に示すように、ｒ２より大きく設けられている。
また、案内誘導床マット１０は、凸条１１を含めた幅方向の断面における上縁が、両端Ｅ，Ｅを除いた全幅にわたり折点のない線から構成されている。
同様に、端部湾曲面１１ａの裾部も下方へ湾曲する湾曲面に構成し、平坦部１３との境界に折線の無いことが好ましい。
【００２２】
案内誘導床マット２０は、図２に示すように、案内誘導床マット１０と同寸法の矩形の板状部材からなり、透明、又は半透明樹脂等の素材からなる凸条２１、２１と、平坦部２３とを備えている。
【００２３】
凸条２１は、長手方向の両端２１ａ，２１ｂが、隣接する案内誘導床マット１０，２０の凸条１１，２１と連続するように端縁まで一定の高さに形成された以外は、凸条１１と概ね同形である。凸条２１の長手方向の一端２１ａには、図４に示すように、係合凹部４と嵌合する係合突片３が、他端２１ｂには、係合凹部４が設けられている。
【００２４】
凸条１１，２１下面の凹条１１ｅ，２１ｅは、隣接する案内誘導床マット１０，２０の凹条１１ｅ，２１ｅに連通している。
【００２５】
案内誘導床マット１０，２０を床面Ａに設置する際には、平坦部１３、２３の下面に接着剤や両面テープを配し、予め床面上に配設された電線５やＬＥＤ光源６を凹条１１ｅ，２１ｅ内に収容するようにして床面に１枚ずつ順次設置する。この際、係合突片３と係合凹部４とを連結するようにして、隣接する案内誘導床マット１０，２０を連結する。電線５やＬＥＤ光源６は図５に示すように、１本の凸条１１，２１内のみに通すようにしてもよい。電線６は、床面Ａに固定してもよいし、凹条１１ｅ，２１ｅの内面に固定してもよい。
【００２６】
上述したように、本発明に係る案内誘導ライン１００は、目的地までの床面に連続してライン状に敷設されているので、建築物の利用者を迷うことなく目的地へ案内することができる。
【００２７】
また、本発明の案内誘導ライン１００は、上方へ突出する凸条１１，２１を備え、これを杖や足で辿ることができるので、視覚正常者だけでなく視覚障害者も誘導することができる。
【００２８】
また、案内誘導ライン１００の凸条１１，２１は、隣接する案内誘導床マット１０，２０間で高さや山の形が変わることなく連続しているので、案内誘導ライン１００に沿って歩く歩行者が、凸条１１，２１の繋ぎ目で躓くことを抑制できる。隣接する案内誘導床マット１０，２０どうしで、凸条１１，２１が連結するので、横断体が通過する際の凸条の変形や振動を抑制できる。
【００２９】
さらに、案内誘導床マット１０，２０は、凸条１１，２１の頂部が上方へ湾出する湾曲面からなるとともに両裾部が下方へ湾入する湾曲面からなり、両端Ｅ，Ｅを除いた全幅にわたり折線を備えないので、幅方向に横断する車椅子や歩行器等の車輪を有する横断体が受ける振動を抑制することができる。
【００３０】
加えて、凸条１１，２１は隣接する案内誘導床マット１０，２０の凹条１１ｅ、２１ｅに連通する凹条１１ｅ，２１ｅを有するので、ＬＥＤ光源６や、これに電力を供給する電線５を通すことができ、このＬＥＤ光源６の点灯によって、視覚正常者や弱視の歩行者にその位置を認識させたり、目的地へ誘導したりできる。
【００３１】
（第２実施形態）
図６は、本発明の第２実施形態に係る案内誘導床マット３０，４０を示している。案内誘導床マット３０，４０は、全体が不透明な樹脂等の素材により一体成型されている他は、第１実施形態の案内誘導床マット１０，２０と同形状である。
尚、第２実施形態以降の実施形態において、第１実施形態と共通する構成については、同一符号を付して説明を省略する。
【００３２】
（参考形態）
図７、図８は、本発明の参考形態に係る案内誘導床マット５０，６０を示している。案内誘導床マット５０，６０は、それぞれ１本の凸条１１，２１のみからなり、平坦部は備えず、床面Ａに凸条１１，２１のみが設置される。本参考形態における凸条１１，１２は、幅方向に対称に形成され、両裾部１１ｃ，１１ｃの湾曲面が同じ曲率半径ｒ１を有している。
図９、図１０、及び図１１は、それぞれ本参考形態の変形例に係る案内誘導床マット７０，８０，９０を示している。
案内誘導床マット７０は、図９に示すように、凸条７１内に凹条や貫通孔を備えず、中実に形成されている。
案内誘導床マット８０は、図１０に示すように、凸条８１上部に平坦面８１ａと、平坦面８１ａの幅方向の両端に外方へ湾出する湾曲面８１ｂ，８１ｂと有している。
案内誘導床マット９０は、図１１に示すように、凸条９１内下部が長手方向の一部、又は全部で連結されて貫通孔９１ａが設けられている。
【００３３】
以上、本発明にかかる案内誘導床マットは、上述した形態に限られるものではなく、凸条は、下面の凹条を備えなくてもよい。凹条の内側に、電線やＬＥＤ光源に限らず電気部品を収容することもできる。本発明の案内誘導床マットは樹脂以外の材料で形成してもよい。
【符号の説明】
【００３４】
案内誘導ライン１００
案内誘導床マット１０，２０，３０，４０，５０，６０，７０，８０，９０
床面Ａ
凸部（凸条）１１，２１，７１，８１，９１
両裾部１１ｃ，１１ｄ
凹条１１ｅ
ＬＥＤ光源５
電線６
貫通孔  ９１ａ
【要約】      （修正有）【課題】案内誘導床マットを横断する横断体の振動を、効果的に緩和する。【解決手段】本発明は、歩行者に移動すべき方向や注意すべき位置の情報を提供すべく床面にライン状に連結して設置される案内誘導床マット１０，２０である。案内誘導床マット１０，２０は、床面Ａに設置された際の上方へ突出する、又は複数の凸部を備え、凸部を含めた幅方向の断面における上縁が全幅にわたり、折点のない線からなり、凸部における当該上縁は、両裾部が下方へ湾入する湾曲線からなる。【選択図】図１【図１】
0006842684.tif 000002
【図２】
0006842684.tif 000003
【図３】
0006842684.tif 000004
【図４】
0006842684.tif 000005
【図５】
0006842684.tif 000006
【図６】
0006842684.tif 000007
【図７】
0006842684.tif 000008
【図８】
0006842684.tif 000009
【図９】
0006842684.tif 000010
【図１０】
0006842684.tif 000011
【図１１】
0006842684.tif 000012